(57)【特許請求の範囲】
【請求項１】
開き窓の障子のうち締り金具を取付けた框の端面に対向して突設した一対の突条と、上記框の端面に穿設した上記締り金具の回転する係止片を貫通させる開口と、
上記框の端面に取付けられると共に、上記開口に連通する開口孔と、この開口孔の両側縁から突設されて上記框の開口を貫通し且つ該框内において上記締り金具の係止片を挟持する一対の挟持片とを有する係止片用ガイドと、
両側端に上記框の一対の突条に掛け止めされる一対の辺縁部を有するカバー部と、上記カバー部に穿設され上記開口孔と連通する開口部と、上記カバー部の内側面における上下に突設され且つ上記ガイドの上下端に当接し得る突片と、を有するガイドカバーと、を含む、ことを特徴とする開き窓用締り金具取付装置。
【請求項２】
開き窓の障子のうち締り金具を取付けた框の端面に対向して突設した一対の突条と、上記框の端面に穿設した上記締り金具の回転する係止片を貫通させる開口と、
両側端に上記一対の突条に掛け止めされる一対の辺縁部を有するカバー部と、上記カバー部に穿設され上記開口と連通する開口部と、この開口部の両側縁から上記框内に向け上記開口を貫通して突設され、且つ上記締まり金具の係止片を内外から挟持し且つ該係止片の回転軸を軸支する一対の挟持片と、を有するガイドカバーと、を含む、ことを特徴とする開き窓用締り金具取付装置。
【請求項３】
前記一対の挟持片における前記回転する係止片と接触する少なくとも内側面に耐摩耗性材を配設した、
ことを特徴とする請求項２に記載の開き窓用締り金具取付装置。
【請求項４】
前記一対の挟持片及び前記開口部の開口縁が金属成形材からなり、前記一対の辺縁部を含む前記カバー部が上記金属成形体を鋳ぐるみつつ成形した樹脂成形材からなる、
ことを特徴とする請求項２又は３に記載の開き窓用締り金具取付装置。
【請求項５】
前記締り金具が、これを取付けた前記框の長手両端において、前記係止片の回転と連動して出没する係止ピンを有するスライド機構を更に含んでいる、ことを特徴とする請求項１乃至４の何れかに記載の開き窓用締り金具取付装置。
【発明の詳細な説明】
【０００１】
【発明の属する技術分野】
本発明は、例えば縦軸回転窓のような開き窓において、その障子における開閉する部位の縦框に取付ける締り金具の取付装置に関する。
【０００２】
【従来の技術】
図５(Ａ)に示すように、室内側から観た外開き式の回転窓は、図示しない窓枠内に丁番８１を介して障子８０を室外から室内方向に回転可能に支持している。障子８０は、上下一対の横框８２、丁番８１を端面に取付けた図示で右側の縦框８３、締り金具９０を中間に取付けた図示で左側の縦框８４、及びこれらに囲まれたガラス８５を含んでいる。
図５(Ｂ)と図６に示すように、縦框８４はその断面の中央に矩形の中空部８６と、左側の端壁８７における室内外の両端から平行に延びた一対のフランジ８８，８９とを有する。中空部８６内には、締り金具９０を構成する室内側のハンドル９１から延びた回転軸９２が進入し、この回転軸９２の中間には係止片９４が直角に固定されている。
【０００３】
図５(Ａ)，(Ｂ)及び図６は、ハンドル９１は直前の水平姿勢から図示のように垂直姿勢に９０度回転され、これに連れて係止片９４は直前の垂直姿勢から図示のように水平姿勢に突出した状態を示している。係止片９４は、端壁８７に明けた縦長の開口９３から、縦框８４の左側に突出し、図５(Ｂ)に示す隣接する窓枠に固定された受け金具９５に係止する。この際、係止片９４や受け金具９５は、互いの側面にテーパが付されているので、ハンドル９１の回転に連れて、その後半で框８４を含む障子８０を室内側に引き寄せる。これにより、障子８０を窓枠内に位置させて室内・室外間を閉鎖し、室内側を気密・水密性をもって保護する。
【０００４】
上記引き寄せに際して、係止片９４は室内外方向に移動する。係る移動を許容し、且つハンドル９１の回転前半における係止片９４の回転軌跡を一定に保つため、図５(Ｂ)及び図６に示すように、縦框８４の端壁８７には、金属製の係止片用ガイド９６が取付けられている。このガイド９６は、直方体の本体９７に穿設した前記開口９３と連通する開口孔９８と、開口孔９８の両側縁から突設され且つ開口９３を貫通して縦框８４の中空部８６内に進入する一対の挟持片１００とを有する。図６に示すように、各挟持片１００の先端には、半円形の凹部１０２が形成され、図５(Ｂ)に示すように、係止片９４を挟んだ一対の挟持片１００の各凹部１０２内に上記ハンドル９１に繋がる回転軸９２の約半周が進入している。
【０００５】
【発明が解決すべき課題】
以上のような係止片用ガイド９６は、図６に示すように、その本体９７の上下の細孔９９を貫通し、且つ縦框８４の端壁８７に穿設した上下の雌ネジ孔１０６に螺入する止めネジ１０４によって框８４に固定されている。
しかしながら、長く開閉操作を行う間に障子８０の閉鎖する際の衝撃等によって、上記ネジ１０４が緩むことがある。係る止めネジ１０４の緩みにより、係止片用ガイド９６がガタ付いて、係止片９４に対するガイド機能に支障を来たし、前記受け金具９５に係止片９４の先端寄りの側面が当接しにくくなり、引き寄せ・締り操作が不十分になることがあった。
本発明は、以上に説明した従来技術の問題点を解決し、締り金具の係止片が長期間に渉り受け金具に確実に係止し、ハンドルの回転により安定した引き寄せ・締り操作が行える開き窓用締り金具取付装置を提供することを課題とする。
【０００６】
【課題を解決するための手段】
本発明は、上記課題を解決するため、締り金具の係止片を案内する係止片用ガイドの移動を規制するか、係るガイドを含む位置決め手段を開き窓の框に配設することに着想して成されたものである。
即ち、本発明の一つの開き窓用締り金具取付装置は、開き窓の障子のうち締り金具を取付けた框の端面に対向して突設した一対の突条と、この框の端面に穿設した上記締り金具の回転する係止片を貫通させる開口と、上記框の端面に取付けられると共に、上記開口に連通する開口孔と、この開口孔の両側縁から突設されて上記框の開口を貫通し且つ該框内において上記締り金具の係止片を挟持する一対の挟持片とを有する係止片用ガイドと、両側端に上記框の一対の突条に掛け止めされる一対の辺縁部を有するカバー部と、このカバー部に穿設され上記開口孔と連通する開口部と、上記カバー部の内側面における上下に突設され且つ上記ガイドの上下端に当接し得る突片と、を有するガイドカバーと、を含む、ことを特徴とする。
【０００７】
これによれば、係止片用ガイドは、ガイドカバーの各突片により上下方向の移動を規制され、且つガイドカバー自体もその辺縁部が框の各突条に弾性をもって掛け止めされることにより、上記框に位置固定されるので、上記係止片用ガイドの止めネジが緩みにくく、締り金具による引き寄せ及び締り操作を、長期間に渉り確実且つ安定して行うことが可能となる。しかも、仮に係止片用ガイドの止めネジが緩んだ場合でも、上記と同様にガイドカバーにより位置規制されているため、上記ガイドはガタ付きにくく、締り金具による安定した操作が行える。
尚、上記ガイドカバーは、例えばアルミニウム合金の押出形材又は合成樹脂の成形材から一体成形できるが、カバー部の辺縁部の弾性変形を容易にする観点から、合成樹脂の成形材を用いることが望ましい。また、安全のために、ガイドカバー自体も框の端面にそのカバー部をネジで固定することが望ましい。
【０００８】
一方、本発明のもう一つの開き窓用締り金具取付装置は、開き窓の障子のうち締り金具を取付けた框の端面に対向して突設した一対の突条と、この框の端面に穿設した上記締り金具の回転する係止片を貫通させる開口と、両側端に上記一対の突条に掛け止めされる一対の辺縁部を有するカバー部と、上記カバー部に穿設され上記開口と連通する開口部と、この開口部の両側縁から上記框内に向け上記開口を貫通して突設され、且つ上記締まり金具の係止片を内外から挟持し且つ該係止片の回転軸を軸支する一対の挟持片と、を有するガイドカバーと、を含む、ことを特徴とする。
【０００９】
これによれば、一体に突設した一対の挟持片により、ガイドカバー自体に締り金具の係止片のガイド機能が付与されると共に、框の端面の開口から框内に挿入された各挟持片に締り金具の係止片の回転軸を軸受けする。このため、係止片の位置決めがその回転軸(回転筒)を軸受けするガイドカバーにより容易に行えると共に、締り金具のハンドル側における回転軸の挿入・連結も容易になる。しかも、これによりガイドカバー自体も框に位置決めされると共に、カバー部の各辺縁部による框への弾性を伴う掛け止めにより確実に位置固定できる。従って、少ない構成部材により、開き窓における締り金具による引き寄せ及び締り操作を、長期間に渉り確実且つ安定して行うことが可能となる。尚、一対の挟持片は、その先端寄りに設けた軸受け孔に係止片の回転軸を挿入するため、互いに接離するように先端寄りが弾性変形可能となっている。
【００１０】
また、前記一対の挟持片における前記回転する係止片と接触する少なくとも内側面に耐摩耗性材を配設した、開き窓用締り金具取付装置も含まれる。
これよれば、締り金具の係止片の側面と接触する各挟持片の内側面、又は各挟持片全体を滑り易く且つ耐摩耗性を有する金属又は硬質樹脂により形成するので、引き寄せ時における係止片との摩擦によっても損傷や変形することなく、耐久性を高められるので、安定した障子の引き寄せ及び締り操作が行える。
更に、前記一対の挟持片及び前記開口部の開口縁が金属成形材からなり、前記一対の辺縁部を含む前記カバー部が上記金属成形体を鋳ぐるみつつ成形した樹脂成形材からなる、開き窓用締り金具取付装置も含まれる。
【００１１】
これによれば、一対の挟持片を含む開口部の周縁を耐久性のある金属成形材により別途用意し、これを樹脂で鋳ぐるむことにより、一対の辺縁部を含む弾性変形容易なカバー部を樹脂で成形した取付装置が形成できる。従って、締り金具の係止片に接触しても摩耗しにくく且つ框に容易セットすることができる。しかも、万一火災に遭遇しカバー部が焼失しても、締り金具の係止片と受け金具とを上記金属成形材により保護でき、且つ障子の締り状態を維持することができる。
加えて、前記二つの本発明における前記締り金具が、これを取付けた前記框の長手両端において、前記係止片の回転と連動して出没する係止ピンを有するスライド機構を更に含んでいる、開き窓用締り金具取付装置も含まれる。
これにより、締り金具を操作すると同時に、上記框を含む障子を窓枠に対して、框の長手両端でも係止ピンにより位置固定する、所謂グレモン締りもできるので、一層優れた気密・水密性をもって引き寄せ・締り操作を行うことができる。
【００１２】
【発明の実施の形態】
以下において本発明の実施に好適な形態を図面と共に説明する。
図１(Ａ)に示すように、室内側から観た外開き式の回転窓(開き窓)１は、図示しない窓枠内において丁番２ａを介して障子２を室外の開放位置から室内方向に回転可能に支持している。係る障子２は、上下一対の横框３、丁番２ａを端面に取付けた図示で右側の縦框４、締り金具２０を中間に取付けた図示で左側の縦框６、及びこれらに囲まれたガラス５を含んでいる。尚、縦框６の上下端には、後述するスライド機構の係止ピン２５ａが出没可能に配置されている。図１(Ｂ)及び図２に示すように、縦框６は、その断面の中央に矩形の中空部８と、左側の端壁(端面)１０における室内外の両端から延びて対向する一対の突条１２，１４とを含む。室内側の突条１２は、端壁１０から傾斜して突設され且つ端壁１０との間に鋭角の凹部１３を形成する。また、室外側の突条１４は、先端にタイト材挿入用の小溝１５を有し、且つ端壁１０との間に浅い凹部１６を形成している。
【００１３】
図１(Ｂ)に示すように、縦框６の中空部８内には、締り金具２０を構成する室内側のハンドル２１から延びた回転軸２２が進入し、この回転軸２２の中間には係止片２４が直角に固定されている。図２に示すように、縦框６の端壁１０には、縦長の開口１８が穿設され、図１(Ｂ)のように、上記係止片２４が回転しつつ、係る開口１８を出入りする。即ち、開口１８から外側に飛び出した係止片２４の先端部は、縦框６に隣接する窓枠(図示せず)に固定された受け金具２３の側面に当接しつつ、障子１を室内側に引き寄せて、これを締めることができる。
尚、縦框６の突条１２，１４と開口１８は、本発明の締り金具取付装置４８の一部を構成する。また、上記回転軸２２の回転による係止片２４の出入りに連動して、図２に示すスライド機構のロッド２５が縦框６内を上下に昇降し、上下端の前記係止ピン２５ａが対向する上下の窓枠に対し出没可能とされている。
【００１４】
また、縦框６の端壁１０には、係止片用ガイド２６が取付けられ、前記引き寄せ時における係止片２４の内外方向の移動を規制している。係るガイド２６は、本発明の締り金具取付装置４８の一部となり、直方体の本体２７に穿設した上記開口１８と連通する開口孔２８と、この開口孔２８の両側縁から突設され且つ開口１８を貫通して縦框６の中空部８内に進入する一対の挟持片３０とを有する。図２に示すように、各挟持片３０の先端には、半円形の凹部３２が形成され、図１(Ｂ)に示すように、締り金具２０の係止片２４を両側から挟んだ一対の挟持片３０の各凹部３２内に、前記ハンドル２１に繋がる回転軸２２の約半周が進入している。係るガイド２６は、開口孔２８の上下の本体２７に明けた通し孔２９を貫通する図示しない止めネジにより縦框６の端壁１０に固定されている。
【００１５】
また、縦框６の突条１２，１４には、締り金具取付装置４８の主要部を構成するガイドカバー３４が掛け止めされる。このガイドカバー３４は、図１(Ｂ)と図２に示すように、例えばポリアミド(商品名ナイロン)等の合成樹脂からなり、上記突条１２，１４の凹部１３,１６内に挿入される辺縁部３７,３８を両側端に有するカバー部３６と、このカバー部３６に穿設され且つ上記開口孔２８及び前記開口１８に連通する縦長で相似形の開口部４０とを有する。室内側の辺縁部３７は突条１２と同様に傾斜し、室外側の辺縁部３８は前記小溝１５を形成する円筒部に接触するテーパ部３９を有し、カバー部３６を湾曲させて弾性変形させることにより、辺縁部３７,３８を凹部１３,１６内に挿入して掛け止めする。
【００１６】
図２に示すように、カバー部３６の縦框６に対向する内側面には、開口部４０の上下に突片４２,４４が一対ずつ突設され、図示１(Ｂ)に示すように、各突片４２,４４は前記係止片用ガイド２６の本体２７を上下から挟んでいる。尚、ガイドカバー３４は安全を図るため、カバー部３６の上下に明けた皿形の通し孔４６を通る図示しない止めネジにより縦框６の端壁１０に固定することが望ましい。
従って、以上のような構成からなる締り金具取付装置４８によれば、係止片用ガイド２６の止めネジに対して、経年に渉る開閉操作により緩む方向の力が働いても、その本体２７の上下端はガイドカバー３４の各突片４２，４４に当接するため、上記ガイド２６がガタ付く事態を防ぐことができる。
【００１７】
しかも、ガイドカバー３４もその辺縁部３７,３８が縦框６の突条１２,１３に弾性をもって掛け止めされて位置固定されるので、上記ガイド２６の止めネジが緩みにくく、締り金具２０による引き寄せ及び締り操作を確実且つ安定して行うことが可能となる。更に、係止片用ガイド２６の止めネジが緩んだ場合でも、上述したようにガイドカバー３４により位置規制されているため、上記ガイド２６はガタ付きにくく、締り金具２０による引き寄せ及び締り操作を安定して行うことができる。尚、締り金具２０のハンドル２１の操作により係止片２４の回転と連動して、縦框６の上下端から出るスライド機構の各ロッド２５の先端に位置する図１(Ａ)で示した係止ピン２５ａが、対向する上下の窓枠に取付けた金具に進入する。このため、所謂グレモン締りを併用できることになり、障子２の閉鎖を一層確実で安定した状態に保つことができる。
【００１８】
図３は、異なる形態の締り金具取付装置５０に関する。尚、前記形態と同じ要素や部分には、それらと共通する符号を用いるものとする。
図３(Ａ)は、前記と同じ外開き窓１の障子２における縦框６付近を示し、縦框６には一対の突条１２,１４と端壁１０の開口１８が設けてある。係る突条１２,１４と開口１８は、本取付装置５０の一部を構成する。また、縦框６の中空部８には、図３(Ａ)に示すように、締り金具２０の室内側に位置するハンドル２１から延びる断面角形の回転軸２２が進入し、その先端が係合する回転筒２２ａに固定された係止片２４が、回転して開口１８から外側に出没することにより、隣接する図示しない窓枠に固定した受け金具２３の側面と当接可能となっている。
【００１９】
縦框６の端壁１０には、本取付装置５０の所要部を構成するガイドカバー５２が取付られる。このガイドカバー５２は、図３(Ｂ)に示すように、傾斜した辺縁部５６とテーパ部５９を有する辺縁部５８を両側端に有するカバー部５４と、該カバー部５４に穿設され上記開口１８と間隔を置いて連通する縦長の開口部６０と、この開口部６０の両側縁から縦框６の開口１８を貫通してその中空部８内に進入する一対の挟持片６４とを含む。係るガイドカバー５２は、例えば樹脂の射出成形、或いはアルミニウム合金の押出形材を切り欠き加工することによって製作される。上記辺縁部５６,５８は、図３(Ａ)に示すように、縦框６の突条１２,１４の凹部１３,１６内にカバー部５４の弾性変形を活用して掛け止めされる。
【００２０】
また、一対の挟持片６４は、その開口部６０から挿入された締り金具２０の係止片２４をガイドし且つこれを両側から挟むと共に、図３(Ｂ)に示すように、先端寄りに明けた各軸受け孔６６内に係止片２４に一体に突設した回転筒２２ａの両端部を挿入する。このため、各挟持片６４の先端寄りは、互いに接離できる程度に弾性変形可能となっている。また、上記回転筒２２ａの一端面に穿設した角穴２２ｂ内に回転軸２２の先端部が挿入可能とされ、これと連結される。
尚、開口部６０の上下縁には、一対の突部６２が突設され、縦框６の開口１８の上下端付近に進入して係合する。また、開口部６０の上下付近のカバー部５４には、止めネジ用の通し孔５５が穿設されている。更に、図３(Ｃ)に示すように、回転筒２２ａの一端面には、上記角穴２２ｂに替えて、一対の正方形を４５°ずらして重ねた断面形状の八角形穴２２ｃを穿設しても良い。
【００２１】
係るガイドカバー５２は、次のようにして、縦框６にセットされる。先ず、図３(Ａ)に示すように、一対の挟持片６４を縦框６の開口１８から中空部８内に挿入し、且つカバー部５４の弾性変形により辺縁部５６,５８を縦框６の突条１２,１４の凹部１３，１６に掛け止めする。次に、開口部６０から一対の挟持片６４間に係止片２４を挿入し、その回転筒２２ａを各挟持片６４の軸受け孔６６に挿入し、図３(Ｂ)に示すように、回転筒２２ａの角穴２２ｂをハンドル２１側に露出させる。更に、ハンドル２１と繋がる回転軸２２の先端部を、回転筒２２ａの角穴２２ｂ内に挿入し、この状態でハンドル２１を縦框６に取付けることにより、締り金具取付装置５０が形成される。尚、係止片２４の回転に連動して、縦框６の中空部８内を上下に昇降する前記スライド機構の上下の各ロッド２５を、それらの先端の係止ピン２５ａと共に前記同様に配設することもできる。
【００２２】
以上のような締り金具取付装置５０によれば、単一のガイドカバー５２を縦框６に締り金具２０と共に装着するのみで、締り金具２０の係止片２４を受け金具２３に当接させて、障子２を室内側に引き寄せつつ締付ける操作を安定して維持することが可能となる。また、係止片２４のガイド機能と共に、各挟持片６４に締り金具２０の係止片２４の回転筒２２ａ(回転軸２２)が軸受けされるため、係止片２４の位置決めが、ガイドカバー５２により容易に行える。しかも、回転筒２２ａと回転軸２２との連結によりガイドカバー５２も縦框６に位置決めされ、且つカバー部５４の辺縁部５６，５８による縦框６への弾性を伴う掛け止めにより確実に位置固定できる。従って、少ない構成部材により、開き窓における締り金具２０による引き寄せ・締り操作を確実且つ安定して行うことが可能となる。
【００２３】
図４は、前記ガイドカバー５２の変形形態であるガイドカバー７２に関する。尚、ガイドカバー５２と共通する部分には共通する符号を用いる。
図４(Ａ)は、予め鋳鋼やステンレス鋼を精密鋳造等で成形した金属成形材６８を示す。この成形材６８は、開口部６０を内設した矩形枠状の開口縁７０と、開口部６０の両側縁から突設され且つ先端寄りに軸受け孔６６を有する一対の挟持片６４と、開口部６０の上下縁に突設した一対の突片６２とを一体に有する。尚、開口縁７０の四周面には、断面略Ｕ形の小溝７１が形成されている。
図４(Ｂ)は、図示しない成形型内に上記成形材６８をセットして、その開口縁７０の周囲にカバー部(樹脂成形材)７４をポリアミドやポリプロピレン(ＰＰ)等の樹脂で鋳ぐるみして得たガイドカバー７２を示す。カバー部７４の両側端には、前記同様の傾斜した辺縁部７６とテーパ部７９を有する辺縁部７８が対向して一体に形成されると共に、図４(Ｃ)に示すように、金属成形材６８の小溝７１内には、カバー部７４の樹脂材が食い込んで両者を一体にしている。尚、係るカバー部７４には、上下一対の止めネジ用の通し孔７５を設けられている。
【００２４】
以上のようなガイドカバー７２を前記締り金具取付装置５０に適用しても、前記ガイドカバー５２と同様の機能が果たせると共に、締り金具２０の係止片２４と接触する一対の挟持片６４が、金属(耐摩耗性材)製であるため、摩擦により摩耗したり、引き寄せ時の圧力により変形する事態を予防することができる。また、カバー部７４は樹脂製のため、その弾性を利用して両側の辺縁部７６，７８を前記縦框６の突条１２，１４に掛け止めすることも容易である。更に、万一火災に遭遇して樹脂製のカバー部７４が焼失しても、一対の挟持片６４を含む金属成形材６８が前記係止片２４及び受け金具２３と共に残留する。このため、前記回転窓１の障子２が不用意に開いて類焼や延焼を招く事態を防ぐことも可能となる。
【００２５】
本発明は、以上において説明した各形態に限定されるものではない。
例えば、前記縦框６の突条１２，１４は、互いに対称な同一断面のものにしても良く、これに応じてガイドカバー３４,５２,７２の辺縁部も上記と略相似形の断面を有するものとしても良い。
また、前記ガイドカバー３４の突片４２,４４は、上下１個ずつとしても良い。
更に、前記ガイドカバー５２を樹脂成形した場合には、一対の挟持片６４の各内側面にのみ薄い金属板(耐摩耗性材)を貼り付けたり、鋳ぐるみしても良い。
尚、本発明の開き窓用締り金具取付装置４８，５０は、障子の上下框の中間にてピボットヒンジを介して上記障子を支持する縦軸式の回転窓は勿論のこと、横軸式の回転窓、或いは辷り出し窓等に適用することも可能である。
【００２６】
【発明の効果】
以上に説明した本発明の締り金具取付装置(請求項１)によれば、係止片用ガイドは、ガイドカバーの各突片により上下への移動を規制され、且つガイドカバー自体もその辺縁部が框の各突条に弾性をもって掛け止めされて框に位置固定されるので、上記係止片用ガイドの止めネジが緩みにくくなる。従って、締り金具による引き寄せ及び締り操作を、長期間に渉り確実且つ安定して行うことが可能となる。しかも、仮に係止片用ガイドの止めネジが緩んでも、上記のようにガイドカバーにより位置規制されているため、上記係止片用ガイドはガタ付きにくく、締り金具による安定した操作が行える。
【００２７】
また、請求項２の締り金具取付装置によれば、ガイドカバーに一体に突設した一対の挟持片により、締り金具の係止片のガイド機能が付与され、且つ框の端面の開口から框内に挿入された各挟持片に、締り金具の係止片の回転軸が軸受けされるため、係止片の位置決めが、ガイドカバーにより容易に行え、且つハンドルとの連結も容易になる。しかも、これによりガイドカバー自体も框に位置決めされると共に、カバー部の各辺縁部の框への弾性を伴う掛け止めにより確実に位置固定できる。従って、少ない構成部材により、開き窓における締り金具による引き寄せ及び締り操作を確実且つ安定して行うことが可能となる。
更に、請求項３の締り金具取付装置によれば、締り金具による引き寄せ時に係止片との摩擦によっても一対の挟持片が損傷や変形することなく、耐久性を高められるので、安定した障子の引き寄せと締り操作が行える。
加えて、請求項４の締り金具取付装置によれば、上記に加えて万一火災に遭遇して樹脂製のカバー部が焼失しても、一対の挟持片を含む金属成形材が係止片及び受け金具と共に残留するので、開き窓の閉鎖状態を保つことが可能となる。
【図面の簡単な説明】
【図１】  (Ａ)は本発明の締り金具取付装置が適用された回転窓の障子を室内側から観た正面図、(Ｂ)は(Ａ)中のＢ−Ｂ線に沿った拡大断面図。
【図２】図１(Ｂ)に示した締り金具取付装置等を示す分解斜視図。
【図３】  (Ａ)は異なる形態の締り金具取付装置を取付けた状態を示す図１(Ｂ)と同様な断面図、(Ｂ)は上記取付装置のガイドカバー等を示す斜視図、(Ｃ)はこれに用いる締り金具の回転筒の変形形態を示す端面図。
【図４】  (Ａ)は金属成形材の斜視図、(Ｂ)は(Ａ)の金属成形材を用いた異なる形態のガイドカバーの斜視図、(Ｃ)は(Ｂ)中のＣ−Ｃ線に沿った断面図。
【図５】  (Ａ)は従来の回転窓の障子を示す室内側から観た正面図、(Ｂ)は(Ａ)中のＢ−Ｂ線に沿った拡大断面図。
【図６】図５(Ｂ)に示した締り金具の付近を示す一部を分解した斜視図。
【符号の説明】
１………………………………………回転窓(開き窓)
６………………………………………縦框(框)
１０……………………………………端壁(端面)
１２，１４……………………………突条
１８……………………………………開口
２０……………………………………締り金具
２２……………………………………回転軸
２２ａ…………………………………回転筒(回転軸)
２４……………………………………係止片
２５ａ…………………………………係止ピン
２６……………………………………係止片用ガイド
２８……………………………………開口孔
３０，６４……………………………挟持片
３４,５２,７２………………………ガイドカバー
３６，５４……………………………カバー部
３７,３８，５６,５８,７６,７８…辺縁部
４０，６０……………………………開口部
４２，４４……………………………突片
６８……………………………………金属成形材
７０……………………………………開口縁
７４……………………………………カバー部(樹脂成形材)
【図１】
0003749049.tif 000002
【図２】
0003749049.tif 000003
【図３】
0003749049.tif 000004
【図４】
0003749049.tif 000005
【図５】
0003749049.tif 000006
【図６】
0003749049.tif 000007